(57)【要約】【課題】ユーザ操作を阻害しない実用的な覗き見対策を実現する。【解決手段】電子機器１は、表示画面１１と、表示画面１１を視認可能な領域内の画像を取得する撮像部１２を備える。ウェブブラウザの閲覧時等においてパスワード（秘匿情報）の入力が求められユーザが当該パスワードの入力を行う際、撮像部１１を起動させ、入力パスワードに応じた入力映像と共に撮像部１１の取得画像に基づく対策映像を表示画面１１に表示する。例えば、パスワードの入力に必要がないと思われる表示領域の映像を撮像部１１の取得画像の映像にて置換する。【選択図】図９
2014146167.tif 000002
【特許請求の範囲】
【請求項１】
表示画面と、
前記表示画面を視認可能な領域内の画像を取得する撮像部と、
対象情報の入力を受け付ける情報入力受付部と、
前記対象情報に応じた第１映像を前記表示画面に表示するとともに、前記対象情報の入力タイミングにおいて前記対象情報が所定種類の情報に属するとき、前記撮像部の取得画像に基づく第２映像を前記表示画面に表示する制御部と、を備えた
ことを特徴とする電子機器。
【請求項２】
前記制御部は、前記撮像部による画像取得動作の実行有無の制御も行い、
前記対象情報の入力タイミングにおいて前記対象情報が前記所定種類の情報に属する場合には前記撮像部に前記画像取得動作を実行させ、
前記対象情報の入力タイミングにおいて前記対象情報が前記所定種類の情報に属しない場合には前記撮像部による前記画像取得動作を停止させる
ことを特徴とする請求項１に記載の電子機器。
【請求項３】
前記対象情報の入力タイミングにおいて前記対象情報が前記所定種類の情報に属するとき、前記制御部は、前記表示画面内の第１表示領域に前記第１映像を表示しつつ前記表示画面の第２表示領域に前記第２映像を表示する
ことを特徴とする請求項１又は請求項２に記載の電子機器。
【請求項４】
前記第２映像は、前記撮像部の取得画像の一部又は全部を含む
ことを特徴とする請求項１乃至請求項３の何れかに記載の電子機器。
【請求項５】
前記制御部は、前記撮像部の取得画像から人物の顔を検出する顔検出部を有し、前記対象情報の入力タイミングにおいて前記対象情報が前記所定種類の情報に属しており且つ前記撮像部の取得画像に複数の顔が含まれていると検出した場合、前記取得画像に含まれる前記複数の顔の画像を前記第２映像に含めて前記表示画面に表示する
ことを特徴とする請求項１乃至請求項４の何れかに記載の電子機器。
【請求項６】
前記制御部は、前記撮像部の取得画像に含まれる人物の顔が所定の登録人物の顔であるのか或いはそれ以外の未登録の顔であるのかを検出する顔検出部を有し、前記対象情報の入力タイミングにおいて前記対象情報が前記所定種類の情報に属しており且つ前記撮像部の取得画像に前記未登録の顔が含まれていると検出した場合、前記取得画像に含まれる前記未登録の顔の画像を前記第２映像に含めて前記表示画面に表示する
ことを特徴とする請求項１乃至請求項４の何れかに記載の電子機器。
【発明の詳細な説明】
【技術分野】
【０００１】
本発明は、電子機器に関する。
【背景技術】
【０００２】
表示画面を備えた電子機器に関し、ユーザ以外の人物による所謂覗き見が問題になることがある。
【０００３】
表示画面を視認可能な領域内の画像を撮影するカメラを用いて、顔検出を介して覗き見の有無を検出し、覗き見が有ると判断した場合、警告等の通知情報を表示したり視野角制御フィルタを用いて表示画面の視野角を狭くしたりするといった方法（以下、第１従来方法と呼ぶ）が提案されている（例えば下記特許文献１参照）。また、顔検出を介して覗き見が有ると判断した場合、表示画面に表示されるべき情報を非表示にする方法（以下、第２従来方法と呼ぶ）も提案されている（例えば下記特許文献２参照）。
【先行技術文献】
【特許文献】
【０００４】
【特許文献１】特開２０１０−１２８７７８号公報
【特許文献２】特開２０１２−１７３９１３号公報
【発明の概要】
【発明が解決しようとする課題】
【０００５】
第１及び第２従来方法のような覗き見対策では、覗き見の誤検出があった場合（実際に覗き見が成されていないときに覗き見があると判断された場合）にも、警告表示等の覗き見対策が実行される。誤検出によって不要な覗き見対策が実行されると、ユーザの操作性が損なわれるおそれがあり、ユーザは不快感を覚えることもある。
【０００６】
そこで本発明は、操作の阻害を抑制した覗き見対策の実現に寄与する電子機器を提供することを目的とする。
【課題を解決するための手段】
【０００７】
本発明に係る電子機器は、表示画面と、前記表示画面を視認可能な領域内の画像を取得する撮像部と、対象情報の入力を受け付ける情報入力受付部と、前記対象情報に応じた第１映像を前記表示画面に表示するとともに、前記対象情報の入力タイミングにおいて前記対象情報が所定種類の情報に属するとき、前記撮像部の取得画像に基づく第２映像を前記表示画面に表示する制御部と、を備えたことを特徴とする。
【０００８】
入力される対象情報が所定種類の情報（例えば秘匿情報）に属するときにおいて、撮像部の取得画像を表示する。これにより、ユーザは、表示画面を見て、自身の判断で対象情報の入力の取りやめ等を行うことができる。結果、誤検出によって操作性が損なわれるといったことが抑制される。
【発明の効果】
【０００９】
本発明によれば、操作の阻害を抑制した覗き見対策の実現に寄与する電子機器を提供することが可能である。
【図面の簡単な説明】
【００１０】
【図１】本発明の実施形態に係る電子機器の外観斜視図である。
【図２】本発明の実施形態に係る電子機器の内部構成ブロック図である。
【図３】図１の撮像部の撮影領域を説明するための図である。
【図４】ユーザ入力情報が表示画面に表示される様子を示した図である。
【図５】表示画面に第１及び第２表示領域が設定される様子を示した図である。
【図６】パスワードに対応する入力情報映像と共に対策映像（撮影画像）が表示されているときの表示画面の様子を示す図である。
【図７】図１の主制御部に顔検出部が設けられている様子を示す図である。
【図８】本発明の第１実施例に係り、スクリーンロックに関連する覗き見対策を説明するための図である。
【図９】本発明の第２実施例に係り、ウェブブラウザの閲覧に関連する覗き見対策を説明するための図である。
【図１０】本発明の第３実施例に係り、覗き見対策の中で複数の顔画像が表示される様子を示す図である。
【図１１】本発明の第４実施例に係り、覗き見対策の中で未登録の顔の画像が表示される様子を示す図である。
【図１２】本発明の第５実施例に係る表示制御タスクのフローチャートである。
【図１３】本発明の第５実施例に係る対策タスクのフローチャートである。
【発明を実施するための形態】
【００１１】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１２】
図１は、本発明の実施形態に係る電子機器１の外観斜視図である。電子機器１は、任意の情報の取得、再生又は加工等を行うことのできる任意の情報機器であり、例えば、携帯電話機、情報端末、パーソナルコンピュータ、電子書籍リーダ、電子辞書、デジタルカメラ、ゲーム機器又はナビゲーション装置である。図２は、電子機器１の内部構成ブロック図である。電子機器１は、符号１１〜１４によって参照される各部位を備える。図２からは読み取れないが、電子機器１には、電話機能、インターネット接続機能、電子メール送受信機能及び／又は音楽の再生機能などが設けられうる。
【００１３】
表示画面１１は、液晶ディスプレイパネル等から成る表示画面であり、主制御部１４の制御の下、任意の映像を表示する。撮像部１２は、光学系、及び、ＣＣＤ（Charge Coupled Device）又はＣＭＯＳ（Complementary Metal Oxide Semiconductor）イメージセンサなどから成る撮像素子（固体撮像素子）を備え、撮像素子を用いて撮影領域内の被写体を撮影することで撮影画像（即ち撮影領域内の画像）を取得する。以下の説明において、撮影画像とは、特に記述無き限り、撮像部１２による撮影画像を指す。
【００１４】
図３において、斜線領域ＳＲは、撮像部１２の撮影領域を表している。撮像部１２の撮影方向は表示画面１１側を向いており、撮影領域ＳＲは表示画面１１を視認可能な領域の全部又は一部を内包している。即ち、撮像部１２は、表示画面１１を視認可能な領域内の画像を取得する。図３において、人物３００は、表示画面１１を見ながら電子機器１を操作するユーザである。
【００１５】
ユーザ３００は電子機器１に対して所望の情報を入力することができる。ユーザ３００による情報の入力は情報入力受付部１３にて受け付けられる。情報入力受付部１３を機械式押しボタンスイッチ等の操作部材にて形成し、該操作部材にて情報の入力を受け付けても良いが、ここでは、表示画面１１にタッチパネルが設けられていて当該タッチパネルにて情報の入力が受け付けられるものとする。ユーザ３００は、操作体（指やタッチペン）にてタッチパネルを触れることで電子機器１に対し様々な操作を行うことができる。操作体にてタッチパネルを触れることによる操作をタッチパネル操作と呼ぶ。ユーザ３００が情報入力受付部１３に情報を入力しているタイミング（期間）を情報入力タイミング（情報入力期間）と呼び、ユーザ３００により受付部１３に入力された情報（換言すれば受付部１３を介して電子機器１に入力された情報）をユーザ入力情報（対象情報）と呼ぶ。
【００１６】
主制御部１４は、ＣＰＵ（Central Processing Unit）、ＲＯＭ（Read Only Memory）、ＲＡＭ（Random Access Memory）等から形成され、表示制御部２１及び覗き見対策部２２を有する。主制御部１４は、表示画面１１の表示内容を制御すると共に電子機器１内の各部位の動作を統括的に制御する。表示画面１１における任意の映像の表示は、主制御部１４からの映像信号の供給に応答して行われる。
【００１７】
表示画面１１の表示内容の制御は、主として表示制御部２１によって実現される。表示制御部２１は、ユーザ３００が情報入力受付部１３に情報を入力したとき、ユーザ入力情報に応じた映像である入力情報映像（第１映像）を表示画面１１に表示する（即ち、入力情報映像が表示画面１１に表示されるように表示画面１１の表示内容を制御する）。例えば、ユーザ３００が情報入力受付部１３に対して数値列“１７５０”をユーザ入力情報として入力したとき、図４に示す如く、数値列“１７５０”を示す映像３２０が入力情報映像として表示画面１１に表示される。尚、当該数値列が後述の秘匿情報に属する場合、映像３２０において、数値列“１７５０”そのものが表示されないこともある（例えば、後述の図６の如く、表示画面１１において数値列の一部がアスタリスク（＊）にて表現されることもある）。
【００１８】
特徴的な動作として、主制御部１４は、撮影画像及びユーザ入力情報に基づき覗き見対策を行うことができる。ここで、覗き見とは、ユーザ３００以外の人物が表示画面１１を見ることを指し、特にユーザ３００が秘匿情報を入力するときにおいて覗き見対策は必要且つ有益である。
【００１９】
情報入力タイミングにおいて、主制御部１４（例えば表示制御部２１）は、ユーザ入力情報が秘匿情報に属するか否かを判定する。当該判定を、以下、秘匿性判定と呼ぶ。秘匿情報は所定種類の情報であり、如何なる種類の情報が秘匿情報に属するのかを主制御部１４において予め定めておけば良い。例えば、パスワードは秘匿情報に属する。この他、電子メール中の文章なども秘匿情報に属すると設定しておいても良い。ユーザ３００が、タッチパネル操作等を介して、どのような情報が秘匿情報に属するのかを設定できるようにしておいても良い。
【００２０】
ユーザ入力情報が秘匿情報に属すると判定されたとき、表示制御部２１は、覗き見対策部２２に対策要求を発行する。対策要求を受けた覗き見対策部２２は、撮像部１２による撮影画像から対策情報を生成して表示制御部２１に送る。対策情報は、撮影画像に基づく対策映像（第２映像）の情報を含む。具体的には、対策映像は、撮影画像の一部又は全部を含んでいると良い。情報入力タイミングにおいてユーザ入力情報が秘匿情報に属するとき、対策情報を受けた表示制御部２１は、ユーザ入力情報に応じた入力情報映像（第１映像）と共に対策映像（第２映像）を表示画面１１に表示する。秘匿性判定によってユーザ入力情報が秘匿情報に属さないと判断された場合には、表示制御部２１は、入力情報映像を表示画面１１に表示するが対策情報を表示画面１１に表示しない（そもそも対策要求が発行されないので対策情報も生成されない）。
【００２１】
具体的には（図５参照）、情報入力タイミングにおいて、表示制御部２１は、表示画面１１内に第１表示領域を設定し、第１表示領域に入力情報映像を表示する。そして、情報入力タイミングにおいてユーザ入力情報が秘匿情報に属するとき、表示制御部２１は、表示画面１１内に第１表示領域と異なる第２表示領域を設定し、第１表示領域内に入力情報映像を表示しつつ第２表示領域に対策映像を表示する。図５の表示領域３３０及び３４０は、夫々、第１及び第２表示領域の例である。第１及び第２表示領域の合成領域は表示画面１１の全表示領域であっても良いし、第１及び第２表示領域の合成領域は表示画面１１の全表示領域の一部であっても良い。
【００２２】
図６に、パスワードに対応する入力情報映像と共に対策映像が表示されているときの表示画面１１の様子を示す。図６の例では、パスワードの入力枠３３１以外の表示領域において、撮像部１２による撮影画像が表示されている。より具体的には、図６の例において、表示制御部２１は、表示画面１１の全表示領域の内、入力枠３３１以外の、パスワードの入力に必要がないと思われる表示領域の映像を対策映像にて置換している（後述の図８（ｂ）及び図９（ｂ）についても同様）。図６の例では、ユーザ３００とユーザ３００以外の人物３０１が撮影領域ＳＲ内に存在していることが想定されており、結果、対策映像としての撮影画像の映像に、ユーザ３００以外の人物３０１が映っている。ユーザ３００は、表示画面１１から人物３０１の存在を認識し、人物３０１にパスワードが覗き見されるかもしれないと考えて、必要に応じ、パスワードの入力を取りやめたり、人物３０１から表示画面１１を隠したりすることができる。
【００２３】
第１及び第２従来方法のような覗き見対策では、覗き見の誤検出があった場合にも、警告表示等の覗き見対策が実行される。上述したように、誤検出によって不要な覗き見対策が実行されると、ユーザの操作性が損なわれるおそれがあり、ユーザは不快感を覚える。これに対し、本実施形態では、秘匿情報の入力時に、撮像部１２による撮影画像の映像を表示する。ユーザ３００は、表示画面１１を見て、自身の判断で秘匿情報の入力の取りやめ等を行うことができ、誤検出によって操作性が損なわれるといったことが抑制される。
【００２４】
撮像部１２による撮影画像の取得動作は常に実行されていても良いが、覗き見対策部２２は、撮像部１２による撮影画像の取得動作の実行有無制御も行うと良い。具体的には、覗き見対策部２２は、情報入力タイミングにおいてユーザ入力情報が秘匿情報に属する場合には撮像部１２に撮影画像の取得動作を行わせるが、情報入力タイミングにおいてユーザ入力情報が秘匿情報に属しない場合には撮像部１２による撮影画像の取得動作を停止させると良い。これにより、秘匿情報の入力時（即ち覗き見対策が必要なとき）にのみ撮像部１２が駆動するため、不必要な撮像部１２の駆動が抑制されて省電力化が図られる。これに対し、情報入力時に常に撮像部を起動させて顔検出処理を介した覗き見検出及び覗き見対策を行う方法では、消費電力及び処理負荷が必要以上に大きくなる。
【００２５】
主制御部１４（例えば対策部２２）は、覗き見が有るか否かの検出、即ち覗き見検出を行い、覗き見が有ると検出した場合にのみ対策情報を表示制御部２１に提供するようにしても良い。この場合、主制御部１４は、秘匿情報に属するユーザ入力情報が情報入力受付部１３に入力されるタイミングにおいて、覗き見が有ると検出された場合にのみ、対策映像を表示画面１１に表示することになる。但し、主制御部１４は、覗き見検出を行うことなく、秘匿情報に属するユーザ入力情報が情報入力受付部１３に入力されるタイミングにおいては常に対策映像を表示画面１１に表示するようにしても良い。
【００２６】
覗き見検出のために、主制御部１４に図７の顔検出部２３を設けておくと良い。顔検出部２３は、撮影画像の画像データに基づき、公知の顔検出処理を用いて撮影画像から人物の顔を検出する。そして、顔検出部２３により撮影画像に複数の顔が含まれていると検出された場合（即ち、撮影画像に複数の顔の画像データが存在すると検出された場合）、主制御部１４（例えば対策部２２）は、覗き見が有ると判断し、そうでない場合、覗き見は無いと判断することができる。
【００２７】
或いは、顔検出部２３に撮影画像の画像データに基づく顔認識処理を行わせても良い。顔認識処理において、顔検出部２３は、撮影画像に含まれる人物の顔が予め設定された登録人物の顔であるのか、或いは、それ以外の顔（以下、未登録の顔という）であるのかを識別する。登録人物は、ユーザ３００を含み、ユーザ３００以外の他の人物も更に含みうる。顔認識処理を実現するべく、登録人物の顔についてのデータを予め顔検出部２３に保持させておくと良い。そして、顔検出部２３により撮影画像に未登録の顔が含まれていると検出された場合（即ち、撮影画像に未登録の顔の画像データが存在すると検出された場合）、主制御部１４（例えば対策部２２）は、覗き見が有ると判断し、そうでない場合、覗き見は無いと判断することができる。
【００２８】
覗き見が有ると判断された場合、主制御部１４は、対策映像を表示画面１１に表示するだけでなく、任意の警告通知をユーザ３００に発しても良い。警告通知は、例えば、表示画面１１による映像での通知（警告アイコン又は警告文章の表示等）、音による通知（警告音の出力等）、又は、電子機器１に設けられたＬＥＤ（Light Emitting Diode）の点灯によって実現される。
【００２９】
上述の構成及び動作を基本とする電子機器１についての複数の実施例を以下に述べる。或る実施例に記載した事項は、矛盾無き限り、他の任意の実施例に適用されても良い。
【００３０】
＜＜第１実施例＞＞
第１実施例を説明する。電子機器１における特定機能を起動させるためにユーザ入力情報として入力する必要のある情報は、秘匿情報（パスワード）に属する。例えば、主制御部１４は、電子機器１の起動時等において表示画面１１にスクリーンロックを適用することができる。スクリーンロックが適用されているとき、タッチパネル操作として特定の解除操作しか受け付けられず、電子機器１が本来表示可能な様々な情報は、解除操作がタッチパネルに入力された後でしか表示画面１１に表示されない。当該解除操作は、タッチパネル（情報入力受付部１３）に対する解除パスワードの入力を含んでいても良い。解除パスワードは秘匿情報に属する。
【００３１】
図８（ａ）には、スクリーンロックが適用されているときの表示画面１１の様子が示されている。図８（ａ）の例では、スクリーンロックが適用されているとき、主制御部１４は、解除パスワードの入力を求める映像３５０だけを表示画面１１に表示させる。ユーザ３００が映像３５０の部分にフォーカスをあてて解除パスワードの入力を開始しようとした時点で、表示制御部２１は解除パスワードの入力が行われると判断して対策要求を発行する。すると、対策部２２は、撮像部１２による撮影画像の取得動作を開始させると共に撮影画像に基づく対策情報を表示制御部２１に提供する。結果、図８（ｂ）に示す如く、表示制御部２１は、表示画面１１の第１表示領域にユーザ入力情報を表示すると共に表示画面１１の第２表示領域に撮影画像に基づく対策映像を表示する。解除パスワードはユーザ入力情報として入力されることが期待される情報である。尚、図８（ｂ）の表示画面１１の表示内容は、図６のそれと同じである。
【００３２】
＜＜第２実施例＞＞
第２実施例を説明する。JavaScript等のスクリプト言語において“type＝password”の属性を持った情報も、秘匿情報（パスワード）に属する。例えば、電子機器１がインターネット接続機能を用いてインターネット網に接続することで、JavaScript等のスクリプト言語にて記述された所定のウェブブラウザにアクセスし、当該ウェブブラウザにおいてログインパスワードの入力が要求された場合を考える。図９（ａ）に、当該要求が成されているときの表示画面１１の様子を示す。ログインパスワードは秘匿情報に属する。
【００３３】
ウェブブラウザ上のログインパスワードが入力されるべき映像部分にユーザ３００がフォーカスをあててログインパスワードの入力を開始しようとした時点で、表示制御部２１はログインパスワードの入力が行われると判断して対策要求を発行する。すると、対策部２２は、撮像部１２による撮影画像の取得動作を開始させると共に撮影画像に基づく対策情報を表示制御部２１に提供する。結果、図９（ｂ）に示す如く、表示制御部２１は、表示画面１１の第１表示領域にユーザ入力情報を表示すると共に表示画面１１の第２表示領域に撮影画像に基づく対策映像を表示する。ログインパスワードはユーザ入力情報として入力されることが期待される情報である。
【００３４】
＜＜第３実施例＞＞
第３実施例を説明する。秘匿情報に属するユーザ入力情報が情報入力受付部１３に入力されるタイミングにおいて、顔検出部２３により撮影画像に複数の顔が含まれていると検出された場合（即ち、撮影画像に複数の顔の画像データが存在すると検出された場合）、主制御部１４は、当該撮影画像に含まれる複数の顔の画像を対策映像に含めて表示画面１１に表示しても良い。例えば、対策部２２は、顔検出部２３の顔検出結果を用いて当該複数の顔の画像を撮影画像から切り出し、切り出した複数の顔画像を対策情報（対策映像）として表示制御部２１に提供しても良い。図１０に、複数の顔の画像である顔画像３００ｆ及び３０１ｆが対策映像として表示されている時の表示画面１１の例を示す。図１０の例では“覗き見有り？”という警告文章も表示されている（後述の図１１も同様）。顔画像３００ｆ及び３０１ｆは、夫々、撮影画像から切り出された、ユーザ３００及びユーザ３００以外の人物３０１の顔の画像である。
【００３５】
＜＜第４実施例＞＞
第４実施例を説明する。秘匿情報に属するユーザ入力情報が情報入力受付部１３に入力されるタイミングにおいて、顔検出部２３により撮影画像に未登録の顔が含まれていると検出された場合（即ち、撮影画像に未登録の顔の画像データが存在すると検出された場合）、主制御部１４は、当該撮影画像に含まれる未登録の顔の画像を対策映像に含めて表示画面１１に表示しても良い。例えば、対策部２２は、顔検出部２３の顔認識処理の結果を用いて未登録の顔の画像を撮影画像から切り出し、切り出した未登録の顔の画像を対策情報（対策映像）として表示制御部２１に提供しても良い。図１１に、未登録の顔の画像である顔画像３０１ｆが対策映像として表示されている時の表示画面１１の例を示す。
【００３６】
＜＜第５実施例＞＞
第５実施例を説明する。第５実施例では、覗き見対策に注目した電子機器１の動作の流れを説明する。図１２は、表示画面１１の表示制御を担う表示制御タスクのフローチャートである。主として表示制御部２１が表示制御タスクを実行する。
【００３７】
まずステップＳ１１において、情報入力受付部１３によりユーザ入力情報が受け付けられる。任意の情報が入力されるたびに、入力情報に応じて表示画面１１の表示内容は変化しうる。ステップＳ１１に続くステップＳ１２において、主制御部１４は、現在、秘匿情報に属するユーザ入力情報が情報入力受付部１３を介して入力されているのか否かを判定し、当該入力が成されている場合にはステップＳ１３に進むが、当該入力が成されていない場合にはステップＳ１７に進む。
【００３８】
ステップＳ１３において、表示制御部２１は、対策タスクが起動済みであるか否かを判定し、対策タスクが起動していない場合にはステップＳ１４にて対策タスクを起動してからステップＳ１５に進む。対策タスクを起動させることは、上述の対策要求の発行に相当する（図２参照）。対策タスクが起動済みである場合にはステップＳ１３からステップＳ１５に直接進む。対策タスクについては後述する。ステップＳ１５において、表示制御部２１は、対策タスク（即ち対策部２２）から出力される対策情報を取得し、続くステップＳ１６において対策込映像を生成して表示画面１１に表示する。対策込映像は、ユーザ入力情報に応じた入力情報映像と対策情報による対策映像を含む。ステップＳ１６の後、ステップＳ１１に戻る。
【００３９】
ステップＳ１７において、表示制御部２１は、対策タスクが起動済みであるか否かを判定し、対策タスクが起動している場合にはステップＳ１８にて対策タスクの終了指示を発行してからステップＳ１９に進む。対策タスクが起動していない場合にはステップＳ１７からステップＳ１９に直接進む。ステップＳ１９において、表示制御部２１は、通常映像を生成して表示画面１１に表示する。通常映像は、ユーザ入力情報に応じた入力情報映像を含みうるが対策映像を含まない。ステップＳ１９の後、ステップＳ１１に戻る。
【００４０】
図１３は、対策部２２によって実行される対策タスクのフローチャートである。図１２のステップＳ１４の起動処理を介して、対策タスクが実行される。対策タスクでは、まずステップＳ３１において撮像部１２を起動する（即ち、撮像部１２による撮影画像の取得動作を開始させる）。続くステップＳ３２において、対策部２２は、対策タスクの終了指示が発行されていないかを確認し、当該終了指示の発行が行われていない場合にはステップＳ３３に進むが、当該終了指示の発行が行われている場合には撮像部１２による撮影画像の取得動作を停止させて（ステップＳ３７）対策タスクを終了する。
【００４１】
対策部２２は、ステップＳ３３において撮影部１２から撮影画像を取得し、続くステップＳ３４において撮影画像に基づく覗き見検出を行う。そして、対策部２２は、覗き見が有ると検出された場合には対策情報を生成して表示制御部２１に出力するが、覗き見が無いと検出された場合には対策情報を生成及び出力しない。この後、ステップＳ３２に戻る。尚、対策タスクの起動時には、上述したように、覗き見検出を行うことなく（覗き見の有無に関係なく）対策情報を生成して表示制御部２１に出力するようにしても良い。
【００４２】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００４３】
電子機器１又は主制御部１４である対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておき、該プログラムをプログラム実行装置（例えば、対象装置に搭載可能なマイクロコンピュータ）上で実行することによって、その特定の機能を実現するようにしてもよい。上記プログラムは任意の記録媒体（不図示）に記憶及び固定されうる。上記プログラムを記憶及び固定する記録媒体（不図示）は対象装置と異なる機器（サーバ機器等）に搭載又は接続されても良い。
【符号の説明】
【００４４】
１  電子機器
１１  表示画面
１２  撮像部
１３  情報入力受付部
１４  主制御部
２１  表示制御部
２２  覗き見対策部
【図１】
2014146167.tif 000003
【図２】
2014146167.tif 000004
【図３】
2014146167.tif 000005
【図４】
2014146167.tif 000006
【図５】
2014146167.tif 000007
【図６】
2014146167.tif 000008
【図７】
2014146167.tif 000009
【図８】
2014146167.tif 000010
【図９】
2014146167.tif 000011
【図１０】
2014146167.tif 000012
【図１１】
2014146167.tif 000013
【図１２】
2014146167.tif 000014
【図１３】
2014146167.tif 000015